(57)【特許請求の範囲】
【請求項１】
第１の映像と第２の映像との合成映像を表示する映像表示装置に前記第１の映像を送信する情報処理装置であって、
前記第１の映像を再生するための同期信号に基づいて前記合成映像の表示同期基準信号を生成することを前記映像表示装置に指示する指示情報を含む、前記第１の映像の属性情報を前記第１の映像に付加して送信する送信手段を備えることを特徴とする情報処理装置。
【請求項２】
前記第１の映像はＨＤＭＩ規格準拠の伝送フォーマットで前記映像表示装置に送信され、前記属性情報は前記伝送フォーマットに含まれる制御信号データの領域に付加されることを特徴とする請求項１に記載の情報処理装置。
【請求項３】
前記属性情報には、前記第１の映像内に動画コンテンツが含まれているか否かを示す情報、前記第１の映像内に含まれる動画コンテンツの領域のサイズを示す情報、前記第１の映像内に含まれる動画コンテンツのフレームレートを示す情報、及び前記第１の映像内に含まれる動画コンテンツの番組ジャンルを示す情報のうち少なくともいずれかを含むことを特徴とする請求項１又は２に記載の情報処理装置。
【請求項４】
前記第１の映像内の動画コンテンツがネットワークを介して配信されたコンテンツであり、当該配信のＱＯＳレベルが所定レベル以下の場合に、前記属性情報に前記指示情報をセットすることを特徴とする請求項３に記載の情報処理装置。
【請求項５】
第１の映像と第２の映像との合成映像を表示する映像表示装置であって、
前記第１の映像に付加された属性情報を取得する取得手段と、
前記取得手段により取得された属性情報に基づいて、前記第１の映像を再生するための同期信号及び前記第２の映像を再生するための同期信号のうちいずれかを選択し、当該選択された同期信号に基づいて前記合成映像の表示同期基準信号を生成する制御手段とを備えることを特徴とする映像表示装置。
【請求項６】
前記第１の映像はＨＤＭＩ規格準拠の伝送フォーマットで外部機器から送信され、前記属性情報は前記伝送フォーマットに含まれる制御信号データの領域に付加されることを特徴とする請求項５に記載の映像表示装置。
【請求項７】
前記属性情報には、前記第１の映像内に動画コンテンツが含まれているか否かを示す情報、前記第１の映像内に含まれる動画コンテンツの領域のサイズを示す情報、前記第１の映像内に含まれる動画コンテンツのフレームレートを示す情報、及び前記第１の映像内に含まれる動画コンテンツの番組ジャンルを示す情報のうち少なくともいずれかを含むことを特徴とする請求項５又は６に記載の映像表示装置。
【請求項８】
前記属性情報には、前記第１の映像を再生するための同期信号に基づいて前記合成映像の表示同期基準信号を生成することを当該映像表示装置に指示する指示情報を含み、
前記第１の映像内の動画コンテンツがネットワークを介して配信されたコンテンツであり、ネットワーク配信のＱＯＳレベルが所定レベル以下の場合に、前記属性情報に前記指示情報がセットされていることを特徴とする請求項５〜７のいずれか１項に記載の映像表示装置。
【請求項９】
第１の映像と第２の映像との合成映像を表示する映像表示装置に前記第１の映像を送信する情報処理方法であって、
前記第１の映像を再生するための同期信号に基づいて前記合成映像の表示同期基準信号を生成することを前記映像表示装置に指示する指示情報を含む、前記第１の映像の属性情報を前記第１の映像に付加して送信する手順を有することを特徴とする情報処理方法。
【請求項１０】
第１の映像と第２の映像との合成映像を表示する映像表示方法であって、
前記第１の映像に付加された属性情報を取得する手順と、
前記取得された属性情報に基づいて、前記第１の映像を再生するための同期信号及び前記第２の映像を再生するための同期信号のうちいずれかを選択し、当該選択された同期信号に基づいて前記合成映像の表示同期基準信号を生成する手順とを有することを特徴とする映像表示方法。
【請求項１１】
第１の映像と第２の映像との合成映像を表示する映像表示装置に前記第１の映像を送信する処理をコンピュータに実行させるためのプログラムであって、
前記第１の映像を再生するための同期信号に基づいて前記合成映像の表示同期基準信号を生成することを前記映像表示装置に指示する指示情報を含む、前記第１の映像の属性情報を前記第１の映像に付加して送信する処理をコンピュータに実行させるためのプログラム。
【請求項１２】
第１の映像と第２の映像との合成映像を表示する処理をコンピュータに実行させるためのプログラムであって、
前記第１の映像に付加された属性情報を取得する処理と、
前記取得された属性情報に基づいて、前記第１の映像を再生するための同期信号及び前記第２の映像を再生するための同期信号のうちいずれかを選択し、当該選択された同期信号に基づいて前記合成映像の表示同期基準信号を生成する処理とをコンピュータに実行させるためのプログラム。
【発明の詳細な説明】
【技術分野】
【０００１】
本発明は、第１の映像と第２の映像との合成映像を表示する映像表示装置及び方法、映像表示装置に第１の映像を送信する情報処理装置及び方法、並びに、プログラムに関する。
【背景技術】
【０００２】
近年、２つの放送映像を１つのディスプレイ上に再生する、所謂「二画面表示」の機能を有する放送受信装置が実現されている（例えば特許文献１、２を参照）。
【０００３】
図１０に、二画面表示により２つの放送映像が１つのディスプレイ上に再生される例を示す。この例では、放送映像Ａ１００１が左画面、放送映像Ｂ１００２が右画面となるレイアウトで２つの放送映像が合成されて再生されている。
【０００４】
図１１を参照して、放送受信装置における二画面表示機能の実現例を説明する。放送映像Ａはデコード処理部Ａ１１０１によりデコードされた後に、フレーム単位にデコードフレームメモリＡ１１０２に書き出される。デコード処理部Ａ１１０１は、１フレーム時間に１回発生するデコード同期基準信号Ａを起点に各映像フレームのデコードフレームメモリＡ１１０２への書き出しを開始する。ここで、デコード同期基準信号は、放送映像Ａに合わせて校正されるＳＴＣ（System Time Clock）から生成される。
【０００５】
放送映像Ｂはデコード処理部Ｂ１１０３によりデコードされた後に、フレーム単位にデコードフレームメモリＢ１１０４に書き出される。デコード処理部Ｂ１１０３は、１フレーム時間に１回発生するデコード同期基準信号Ｂを起点に各映像フレームのデコードフレームメモリＢ１１０４への書き出しを開始する。ここで、デコード同期基準信号は、放送映像Ｂに合わせて校正されるＳＴＣから生成される。
【０００６】
合成・表示処理部１１０５は、デコードフレームメモリＡ１１０２内の映像フレーム及びデコードフレームメモリＢ１１０４内の映像フレームを読み出して所定のレイアウトで１枚の映像フレームに合成する。そして、その合成映像フレームをディスプレイ１１０６に出力する。合成・表示処理部１１０５は、１フレーム時間に１回発生する表示同期基準信号を起点に、デコードフレームメモリＡ１１０２内の映像フレーム及びデコードフレームメモリＢ１１０４内の映像フレームの読み出しを開始する。
【０００７】
このように放送映像の二画面表示では、異なるデコード同期基準信号に従ってデコードフレームメモリに書き出された２つの映像フレームを、１つの表示同期基準に従って読み出すことになる。
【０００８】
この場合に、表示同期基準信号をいずれか一方のデコード同期基準信号に同期を合わせると、他方のデコード同期基準信号に従ってデコードフレームメモリに書き出される映像フレームについては、フレームの書き出しのタイミングと読み出しのタイミングに同期ずれが発生することになる。例えば、表示同期基準信号とデコード同期基準信号Ａの同期が合っている場合には、デコードフレームメモリＢ１１０４へのフレーム書き出しタイミングがデコードフレームメモリＢ１１０４からの当該フレーム読み出しタイミングに間に合わないケースが発生する。
【０００９】
図１２は、二画面表示におけるデコードフレームメモリのフレーム読み書きのタイミングを示す。図面の左から右への時間軸に沿って、表示同期基準信号、放送映像Ａのフレームの書き出し終了タイミング及び読み出し開始タイミング、並びに、放送映像Ｂのフレームの書き出し終了タイミング及び読み出し開始タイミングを示している。
【００１０】
同期基準Ｎ、同期基準Ｎ＋１に合わせて、フレームＮ、フレームＮ＋１の読み出しがそれぞれ開始する。デコード同期基準が表示同期基準と合っている放送映像Ａについては、フレームの書き出し終了タイミング後に当該フレームの読み出しタイミングが位置する。それに対して、デコード同期基準が表示同期基準と合っていない放送映像Ｂについては、フレームＮ＋１のように、フレームの書き出し終了タイミングがフレームの読み出し開始タイミングに間に合わないケースが発生する。
【００１１】
このようにフレームの書き出し終了タイミングが当該フレームの読み出しタイミングに間に合わない場合、フレームＮ＋１の代わりにフレームＮを再び読み出す処置が施される。そのため、放送映像Ｂの再生映像は、同期ずれのない放送映像Ａの再生映像に比べて映像品質が劣化することになる。
【００１２】
上記の例では、放送映像Ｂのフレーム書き出し終了タイミングがフレームの読み出し開始タイミングに対して遅れる場合を説明したが、同期のずれ方によっては逆の場合も発生する。放送映像Ｂのフレーム書き出し終了タイミングがフレームの読み出し開始タイミングに対して早まる場合である。この場合、フレームＮ＋１の書き出し終了タイミングが累積的に早まることにより、デコードフレームメモリＢ内のフレームＮ＋１が読み出される前に後続のフレームに上書きされるケースが発生する。そのため、フレームＮの次にフレームＮ＋２を読み出すフレーム飛びが発生する。
【００１３】
さらに、当該フレームＮ＋１に対応して再生されるべき音声サンプリングが再生される機会を逸し、これにより音声品質の劣化も発生してしまう。
【００１４】
このように、２つの放送映像を１のディスプレイ上に再生する二画面表示機能を実現する場合、表示同期基準と同期がとれていない放送映像画面は、表示同期基準と同期がとれた放送映像画面に比べて映像品質及び音声品質が劣化する。
【００１５】
一般に、放送受信装置の二画面表示では、一方を主画面、他方を副画面と呼んでおり、主画面に選択された画面の映像の同期基準に表示同期基準を合わせている。そのため、副画面の映像には映像品質及び音声品質に劣化が伴うことになる。
【００１６】
主画面と副画面の入れ替えは、ユーザの所定の操作に連動して行われる。例えば、リモコン操作が反映される画面を切り換える操作により主画面と副画面が入れ替わる場合には、リモコンが反映されている画面が主画面となる。また、スピーカから音声が出力される画面を切り換える操作により主画面と副画面が入れ替わる場合には、スピーカから音声が出力されている画面が主画面となる。
【００１７】
一方、近年ではパーソナルコンピュータ等の情報処理装置と放送受信装置とをＨＤＭＩ（High Definition Multimedia Interface）等のインターフェースを介して接続し、情報処理装置からの映像コンテンツを放送受信装置で視聴する利用形態が普及している。情報処理装置からの映像（以下、ＰＣアプリケーション映像と称する）及び音声（以下、ＰＣアプリケーション音声と称する）は、それぞれＨＭＤＩ信号上のビデオ信号及びオーディオ信号として放送受信装置に入力される。
【００１８】
図１３及び図１４はＰＣアプリケーション映像の例を示している。図１３は動画コンテンツが含まれるＰＣアプリケーション映像の例であり、動画コンテンツが再生される動画再生領域１３０１、並びに、背景１３０２、操作ボタン１３０３及び１３０４、動画タイトル１３０５の静止画領域により構成される。
【００１９】
図１４は動画コンテンツが含まれないＰＣアプリケーション映像の例であり、背景１４０１、写真再生領域１４０２、操作ボタン１４０３及び１４０４の静止画領域のみにより構成される。
【００２０】
放送映像とＨＤＭＩから入力される映像とを二画面表示の一画面として再生可能な放送受信装置も登場しており、このような放送受信装置ではＰＣアプリケーション映像と放送映像との二画面表示が可能となる。
【００２１】
【特許文献１】特開２００４−２４０４４３号公報
【特許文献２】特開２００６−０１０８０７号公報
【発明の開示】
【発明が解決しようとする課題】
【００２２】
ＰＣアプリケーション映像としては、インターネット画面映像、ゲーム映像、更にはネットワークから配信された動画コンテンツの再生映像等、放送映像とは異なる様々な種類の映像が存在する。これら様々なＰＣアプリケーション映像と放送映像の二画面表示を実現する場合、上記従来例のようにユーザが放送受信装置に対して行う操作に連動して主画面が入れ替わる仕様では、映像品質や音声品質に対するユーザの要求を満たせないケースが発生してしまう。例えば、ＰＣアプリケーション映像が写真のスライドショーのような静止画のみから構成される映像で、かつ、ＰＣアプリケーション映像が主画面に設定されている場合、放送映像の映像品質や音声品質がユーザの意図に反して劣化してしまうという問題がある。
【００２３】
本発明は上記問題を解決するためになされたもので、放送受信装置の多画面表示において複数の同期基準から適正に表示同期基準を選択できるようにすることを目的とする。
【課題を解決するための手段】
【００２４】
本発明の情報処理装置は、第１の映像と第２の映像との合成映像を表示する映像表示装置に前記第１の映像を送信する情報処理装置であって、前記第１の映像を再生するための同期信号に基づいて前記合成映像の表示同期基準信号を生成することを前記映像表示装置に指示する指示情報を含む、前記第１の映像の属性情報を前記第１の映像に付加して送信する送信手段を備えることを特徴とする。
本発明の映像表示装置は、第１の映像と第２の映像との合成映像を表示する映像表示装置であって、前記第１の映像に付加された属性情報を取得する取得手段と、前記取得手段により取得された属性情報に基づいて、前記第１の映像を再生するための同期信号及び前記第２の映像を再生するための同期信号のうちいずれかを選択し、当該選択された同期信号に基づいて前記合成映像の表示同期基準信号を生成する制御手段とを備えることを特徴とする。
本発明の情報処理方法は、第１の映像と第２の映像との合成映像を表示する映像表示装置に前記第１の映像を送信する情報処理方法であって、前記第１の映像を再生するための同期信号に基づいて前記合成映像の表示同期基準信号を生成することを前記映像表示装置に指示する指示情報を含む、前記第１の映像の属性情報を前記第１の映像に付加して送信する手順を有することを特徴とする。
本発明の映像表示方法は、第１の映像と第２の映像との合成映像を表示する映像表示方法であって、前記第１の映像に付加された属性情報を取得する手順と、前記取得された属性情報に基づいて、前記第１の映像を再生するための同期信号及び前記第２の映像を再生するための同期信号のうちいずれかを選択し、当該選択された同期信号に基づいて前記合成映像の表示同期基準信号を生成する手順とを有することを特徴とする。
本発明のプログラムは、第１の映像と第２の映像との合成映像を表示する映像表示装置に前記第１の映像を送信する処理をコンピュータに実行させるためのプログラムであって、前記第１の映像を再生するための同期信号に基づいて前記合成映像の表示同期基準信号を生成することを前記映像表示装置に指示する指示情報を含む、前記第１の映像の属性情報を前記第１の映像に付加して送信する処理をコンピュータに実行させる。
本発明の別のプログラムは、第１の映像と第２の映像との合成映像を表示する処理をコンピュータに実行させるためのプログラムであって、前記第１の映像に付加された属性情報を取得する処理と、前記取得された属性情報に基づいて、前記第１の映像を再生するための同期信号及び前記第２の映像を再生するための同期信号のうちいずれかを選択し、当該選択された同期信号に基づいて前記合成映像の表示同期基準信号を生成する処理とをコンピュータに実行させる。
【発明の効果】
【００２５】
本発明によれば、放送受信装置の多画面表示において複数の同期基準から適正に表示同期基準を選択することができ、映像品質や音声品質に対するユーザの要求を満たすことが可能となる。
【発明を実施するための最良の形態】
【００２６】
以下、添付図面を参照して、本発明の好適な実施形態について説明する。
（第１の実施形態）
図１に、第１の実施形態に係る情報処理装置１００の構成例を示す。情報処置装置１００は、各種映像信号及び音声信号を生成し、ＨＤＭＩケーブル１０８を介して当該映像信号及び音声信号を放送受信装置２００に供給する。
【００２７】
ＣＰＵ１０１は、情報処理装置１００の各処理部の制御を行う。ＣＰＵ１０１が実行するコンピュータプログラムは蓄積部１０２に記憶され、不図示のＲＡＭに適宜ロードされる。ここで、コンピュータプログラムは、その役割によりデバイスドライバ、オペレーティングシステム、アプリケーションプログラムから構成される。アプリケーションプログラムは、ユーザに各種機能を提供する。例えば蓄積部１０２内又はネットワーク１０９上の他装置内に蓄積された映像コンテンツを選択し再生する機能を提供する。デバイスドライバは、アプリケーションプログラムからの要求に応じて情報処理装置１００内の各処理部を制御する。オペレーティングシステムは、アプリケーションプログラムがデバイスドライバを介して情報処理装置１００の各処理部を使用できるようアプリケーションプログラムとデバイスドライバの間の仲立ち等を行う。
【００２８】
ネットワーク処理部１０３は、ＣＰＵ１０１の制御によりＬＡＮ等のネットワーク１０９に接続し、ネットワーク１０９上の他装置とのデータ通信を実行する。操作部１０４は、不図示のキーボード、マウス、リモコン等からユーザ操作を受け付け、ＣＰＵ１０１に伝達する。
【００２９】
映像処理部１０５は、アプリケーションプログラムが作成する描画データを映像フレームとして内蔵フレームバッファメモリに書き出す。音声処理部１０６は、ＣＰＵ１０１から供給される音声データをシリアル伝送可能なフォーマット（例えばＩＥＣ−６０９５８等）に変換して内蔵音声バッファに格納する。
【００３０】
ＨＤＭＩ送信部１０７は、映像処理部１０５のフレームバッファ内の映像フレーム、及び、音声処理部１０６内の音声バッファ内の音声データを読み出し、ＨＭＤＩ上のビデオ信号及びオーディオ信号として放送受信装置２００に伝送する。
【００３１】
かかる構成により、以下に詳述するように、情報処理装置１００が本発明でいう情報処理装置、外部機器として機能する。
【００３２】
図２に、第１の実施形態に係る放送受信装置２００の構成例を示す。ＣＰＵ２０１は、内蔵するＦＬＡＳＨ ＲＯＭ等に記憶されたコンピュータプログラムを実行して、放送受信装置２００全体の制御を司る。
【００３３】
チューナ／復調器２０２は、不図示のアンテナを介して所望の周波数のデジタル放送信号を受信し、ストリームデータに復調する。ＴＳデコーダ２０３は、チューナ／復調器２０２からのストリームデータをデコードし、ビデオ、オーディオ、セクションデータ等の種別ごとに弁別し、種別に応じた処理部に供給する。
【００３４】
オーディオデコーダ２０４は、ＴＳデコーダ２０３からのオーディオストリーム、又は、ＨＤＭＩ受信部２１２からのオーディオデータを復号する。オーディオデコーダ２０４で復号されたオーディオデータは音声提示部２０５を介してスピーカ２０６に出力される。
【００３５】
ビデオデコーダ２０７は、ＴＳデコーダ２０３からのビデオストリームを復号し、復号したビデオデータをメモリ部２１６のデコードフレームメモリ２１８にビデオフレームとして書き出す。このとき、ビデオデコーダ２０７は、クロック生成部２１４から供給されるＳＴＣから生成したデコード同期基準信号（１フレーム時間に１回発生する）により、デコードフレームメモリ２１８へのビデオフレームの書き出し開始タイミングのフレーム同期をとる。
【００３６】
ＨＤＭＩ受信部２１２は、ＨＤＭＩケーブル１０８を介して伝送される多重化されたビデオ信号、オーディオ信号、及び制御信号を受信し、種別に応じた処理部に供給する。ビデオ信号はビデオキャプチャ部２１３へ、オーディオ信号はオーディオデコーダ２０４へ、制御信号はＣＰＵ２０１へとそれぞれ振り分けられる。
【００３７】
ビデオキャプチャ部２１３は、ＨＤＭＩ受信部２１２からのビデオ信号を受信し、メモリ部２１６のキャプチャフレームメモリ２１７にビデオフレームとして書き出す。このとき、ビデオキャプチャ部２１３は、ＨＤＭＩのクロックチャネルを介して入力されるビデオクロック（以下、ＨＤＭＩクロックと称する）から生成したキャプチャ同期基準信号（１フレーム時間に１回発生する）により、キャプチャフレームメモリ２１７へのビデオフレームの書き出し開始タイミングのフレーム同期をとる。
【００３８】
映像合成・表示処理部２０８は、デコードフレームメモリ２１８内のビデオフレーム、又は、キャプチャフレームメモリ２１７内のビデオフレームを表示同期生成部２１５が生成する表示同期基準信号（１フレーム時間に１回発生する）に従って読み出す。そして、メモリ部２１６内の表示フレームメモリ２１９に格納する。その後、表示フレームメモリ２１９内のビデオフレームは表示同期基準信号に従って読み出されてディスプレイ２０９に出力される。
【００３９】
二画面表示の場合は、デコードフレームメモリ２１８内のビデオフレーム、及び、キャプチャフレームメモリ２１７内のビデオフレームを表示同期基準信号に従って読み出して、表示フレームメモリ２１９上で合成する。表示フレームメモリ２１９内の合成されたビデオフレーム（合成映像）は表示同期基準信号に従って読み出されてディスプレイ２０９に出力される。
【００４０】
図２では、キャプチャフレームメモリ２１７から読み出されたＰＣアプリケーション映像２１０とデコードフレームメモリ２１８から読み出された放送映像２１１との画面表示の状態を示している。
【００４１】
クロック生成部２１４は、ＳＴＣを生成し、ビデオデコーダ２０７や表示同期生成部２１５等に供給する。ＳＴＣは、放送信号から取得したクロック校正情報（ＰＣＲ）により適宜校正される。
【００４２】
表示同期生成部２１５は、クロック生成部２１４から供給されるＳＴＣ、及び、ビデオキャプチャ部２１３から供給されるＨＤＭＩクロックのうちいずれかを選択し、選択したクロックから表示同期基準信号を生成して、映像合成・表示処理部２０８に供給する。ＳＴＣ及びＨＤＭＩクロックのうちいずれを選択するかはＣＰＵ２０１から指示される。
【００４３】
メモリ部２１６は、キャプチャフレームメモリ２１７、デコードフレームメモリ２１８、表示フレームメモリ２１９、セクションバッファ２２０を有する。メモリ部２１６は、ＣＰＵ２０１、ビデオキャプチャ部２１３、ビデオデコーダ２０７、及び映像合成・表示処理部２０８等の各処理部からアクセス可能な構成になっている。セクションバッファ２２０には、ＴＳデコーダ２０３により弁別されたセクションデータが書き出される。
【００４４】
かかる構成により、以下に詳述するように、放送受信装置２００が本発明でいう映像表示装置として機能する。
【００４５】
上記の構成例において、第１の実施形態の二画面表示処理に係る制御情報を放送受信装置２００のＣＰＵ２０１が取得する仕組みの例を説明する。まず、選局中の放送映像の番組ジャンルを取得する場合には、ＣＰＵ２０１はセクションバッファ２２０内の当該放送映像に対応するＥＩＴ（Event information Table）のコンテント記述子から番組ジャンル情報を読み出せばよい。番組ジャンルとは、ニュース／報道、スポーツ、ドラマ等である。ＣＰＵ２０１は取得した番組ジャンル情報に基づいてきめ細かい二画面表示処理が可能となる。
【００４６】
情報処理装置１００から通知されるＰＣアプリケーション映像内に含まれるコンテンツの属性を示す情報（以下、コンテンツ属性情報と称する）については、ＣＰＵ２０１次のように取得する。
【００４７】
コンテンツ属性情報は、ＨＭＤＩ規格におけるＤａｔａ Ｉｓｌａｎｄ Ｐｅｒｉｏｄ内のデータパケットとしてＨＤＭＩ受信部２１２が受信し、レジスタ等によりＣＰＵ２０１に読み出し可能に提示する。
【００４８】
情報処理装置１００からのコンテンツ属性情報が受信される度にＨＤＭＩ受信部２１２がＣＰＵ２０１に対して割り込みで通知をし、ＣＰＵ２０１は当該割り込みに応じてレジスタを読み出す。
【００４９】
図３に、ＨＤＭＩ規格準拠の１フレームの伝送フォーマットを示す。同図の伝送フォーマットは、図面の横方向と縦方向をそれぞれビデオフレームの水平方向と垂直方向に対応させた２次元のフォーマットとなっている。ビデオフレームは領域３０１に記憶され、その他、オーディオデータを記憶するための領域３０２、同期信号データを記憶するための領域３０３、制御信号データを記憶するための領域３０４が設けられている。オーディオデータ及び制御信号データは共に、ＨＭＤＩ規格におけるＤａｔａ Ｉｓｌａｎｄ Ｐｅｒｉｏｄ内にセットされるパケットデータとして伝送される。コンテンツ属性情報は、制御信号データの所定のパケットデータとしてビデオフレームと関連付けられて放送受信装置２００に伝送される。
【００５０】
情報処理装置１００は、所定フレーム数に１回の割合で現在伝送されているＰＣアプリケーション映像のコンテンツ属性情報を制御信号データにセットして伝送する。このようにＣＰＵ２０１は、ＨＤＭＩを介して情報処理装置１００から受信したコンテンツ属性情報からＰＣアプリケーション映像内のコンテンツの詳細を取得でき、取得した情報に基づいてきめ細かい二画面表示処理が可能となる。
【００５１】
次に、図４を参照して、情報処理装置１００がコンテンツ属性情報を放送受信装置２００に通知する仕組みの例を説明する。図４は、第１の実施形態に係る情報処理装置１００の映像処理部１０５の構成例を示している。
【００５２】
描画処理部４０１は、アプリケーションプログラムからの描画命令に基づいてフレームバッファ４０３及び４０４のうちいずれかを選択してビデオデータの描画を行う。フレームバッファ４０３及び４０４は、それぞれ１フレームの伝送データを記憶する。
【００５３】
ここで、フレームバッファ４０３及び４０４内は、図３に示したＨＤＭＩ規格の１フレームの伝送フォーマットに基づいて記憶される。フレームバッファ４０３及び４０４内の伝送フレームデータは、放送受信装置２００のＨＤＭＩ信号受信能力に応じたフレームレートでビデオ送出部４０２により読み出される。ビデオ送出部４０２で読み出された伝送フレームデータはＨＤＭＩ送信部１０７により放送受信装置２００に伝送される。したがって、領域３０４の制御信号データにコンテンツ属性情報を伝送するためのパケットデータを書き込んでおけば、当該パケットデータはＨＤＭＩ伝送フレームの制御信号データに対応する箇所にセットされて放送受信装置２００に伝送される。
【００５４】
尚、フレームバッファ４０３及び４０４は、所謂ダブルバッファ構成になっている。すなわち、一方のフレームバッファに描画処理部４０１が描画しているときは、他方のフレームバッファからビデオ送出部４０２が読み出しを行う。以下、前者をバック・フレームバッファと称し、後者をフロント・フレームバッファと称する。フロント・フレームバッファとバック・フレームバッファを適宜切り換えることにより画面の変更、更には動画を実現する。
【００５５】
また、ビデオ送出部４０２は、フレームバッファ４０３又は４０４から読み出す伝送フレームに対して、フレームバッファから読み出した伝送フレームの制御信号データに当たる箇所をパケットバッファ４０５内のデータにより上書きする機能を有する。この上書きは、所定の周期で実行される。
【００５６】
この機能を有効にすることにより、所定フレーム数に１回の割合で、パケットバッファ４０５内のデータを伝送フレームの制御信号データにセットして伝送することができる。すなわち、パケットバッファ４０５にコンテンツ属性情報をセットしておけば、所定フレーム数に１回の割合で、現在伝送されているＰＣアプリケーション映像のコンテンツ属性情報を制御信号データにセットして伝送することが可能となる。
【００５７】
図５は、コンテンツ属性情報を伝送するＨＭＤＩ伝送フレームにおけるパケットデータのフォーマットの一例を示す。パケットヘッダ５０１には、パケット種別を示す値がセットされる。放送受信装置２００は、パケット種別により当該パケットがコンテンツ属性情報を伝送するパケット（以下、コンテンツ属性パケットと称する）であるか否かを判別することができる。
【００５８】
パケットボディ５０２には、パケット種別に応じた実体情報がセットされる。コンテンツ属性パケットはコンテンツ属性情報５０３〜５０７を有する。コンテンツ属性情報５０３は、ＰＣアプリケーション映像フレーム内に動画コンテンツが含まれているか否かを示す。例えば、情報処理装置１００で動作中のアプリケーションがＤＶＤを再生するアプリケーションの場合には、コンテンツ属性情報５０３には「動画有り」を示す値をセットする。写真スライドショーのような静止画のみから構成される映像を作成するアプリケーションの場合には、コンテンツ属性情報５０３には「動画無し」を示す値をセットする。コンテンツ属性情報５０３により、放送受信装置２００は、動画コンテンツを含まないＰＣアプリケーション映像については二画面表示において表示同期基準を合わせる必要はないと判断することができる。
【００５９】
コンテンツ属性情報５０４は、ＰＣアプリケーション映像フレーム内に含まれる動画コンテンツのフレームレートを示す。コンテンツ属性情報５０４により、放送受信装置２００は、動画コンテンツを含むＰＣアプリケーション映像であっても、その動画コンテンツのフレームレートが所定値以下である場合、当該ＰＣアプリケーション映像については二画面表示において表示同期基準を合わせる必要はないと判断することができる。フレームレートの所定値とは、例えば２０フレーム／秒以下である。
【００６０】
コンテンツ属性情報５０５は、ＰＣアプリケーション映像フレーム内に含まれる動画コンテンツの領域のサイズを示す。コンテンツ属性情報５０５により、放送受信装置２００は、動画コンテンツを含むＰＣアプリケーション映像であっても、その動画コンテンツが所定サイズ以下で再生されている場合、当該ＰＣアプリケーション映像については二画面表示において表示同期基準を合わせる必要はないと判断することができる。所定サイズとは、例えば動画サムネイルや動画プレビューが該当する。
【００６１】
コンテンツ属性情報５０６は、ＰＣアプリケーション映像フレーム内に含まれる動画コンテンツのジャンルを示す。ジャンルとしては、ニュース／報道、スポーツ、ドラマ、映画等、電波産業会のＡＲＩＢ ＳＴＤ−Ｂ１０で規定される番組ジャンルが指定される。更に、ジャンルがゲームの場合には、対戦ゲームのようにゲームプレイヤーの即応性を要求するゲームコンテンツか否かによってジャンルを分けるとより好適である。コンテンツ属性情報５０６により、放送受信装置２００は、動画コンテンツを含むＰＣアプリケーション映像であっても、その動画コンテンツが一定条件のジャンルでない場合、当該ＰＣアプリケーション映像については二画面表示において表示同期基準を合わせる必要はないと判断することができる。一定条件のジャンルとは、例えばその動画コンテンツがドラマや映画等のように視聴者が集中して鑑賞するものや、対戦ゲームのようにゲームプレイヤーの即応性を要求するゲームコンテンツが該当する。或いは、放送受信装置２００が保持している視聴者のお気に入りのジャンルに合致するものを一定条件のジャンルと判断してもよい。尚、アプリケーションプログラムが自ら作成した動画コンテンツの場合には自ら番組ジャンルを指定すればよい。ネットワーク等から配信された動画コンテンツの場合には当該動画コンテンツの配信元から番組ジャンルを取得すればよく、例えばＤＬＮＡであればＵＰＮＰ機能によりジャンル情報の取得が可能である。
【００６２】
コンテンツ属性情報５０７は、コンテンツ属性情報５０３〜５０６の値に関わらず、二画面表示においてＰＣアプリケーション映像に表示同期基準を合わせることを放送受信装置２００に指示する。コンテンツ属性情報５０７が示す指示情報としては、「無効」及び「二画面表示においてＰＣアプリケーション映像に表示同期基準を合わせる」のうちいずれかとなる。「無効」の場合、放送受信装置２００は、コンテンツ属性情報５０３〜５０６の値に基づき、二画面表示においてＰＣアプリケーション映像に表示同期基準を合わせるか否かを決定してもよい。「二画面表示においてＰＣアプリケーション映像に表示同期基準を合わせる」の場合、放送受信装置２００は、コンテンツ属性情報５０３〜５０６の値に関わらず、二画面表示においてＰＣアプリケーション映像に表示同期基準を合わせなければならない。コンテンツ属性情報５０７で「二画面表示においてＰＣアプリケーション映像に表示同期基準を合わせる」を指定する例としては、次のような場合がある。すなわち、情報処理装置１００の操作部１０４が受け付けたユーザ操作により、二画面表示におけるＰＣアプリケーション映像を主画面と設定された場合である。或いは、ＰＣアプリケーション映像に含まれる動画コンテンツがネットワーク１０９を介して配信されたコンテンツであり、ネットワーク配信のＱＯＳ（Quality of Service）レベルが所定レベル以下の場合である。
【００６３】
次に、図６のフローチャートを参照して、第１の実施形態に係る情報処理装置１００の処理を説明する。図６において、ステップＳ６０１〜Ｓ６０４は、情報処理装置１００におけるアプリケーションプログラムのフローチャートである。ステップＳ６０１〜Ｓ６０４は、ＰＣアプリケーション映像の内容に変更が発生する度に実行される、ＰＣアプリケーション映像のバック・フレームバッファ（４０３又は４０４）への描画処理を示している。また、ステップＳ６０５〜Ｓ６０８は、情報処理装置１００における映像処理部１０５を制御するデバイスドライバのフローチャートである。ステップＳ６０５〜Ｓ６０８は、アプリケーションプログラムからのフレームバッファ切替指示に応じてフロント・フレームバッファ（４０３又は４０４）とバック・フレームバッファ（４０３又は４０４）を適宜切り換える処理を示している。
【００６４】
ステップＳ６０１では、アプリケーションプログラムが映像処理部１０５のフロント・フレームバッファ（４０３又は４０４）にＰＣアプリケーション映像を描画する。
【００６５】
ステップＳ６０２では、アプリケーションプログラムはステップＳ６０１で描画したＰＣアプリケーション映像においてコンテンツ属性情報に変更が生じたか否かを判断する。コンテンツ属性情報に変更が生じた場合はステップＳ６０３に、変更が生じていない場合はステップＳ６０４に進む。ここで、コンテンツ属性情報に変更が生じたと判断される場合とは、ステップＳ６０１での描画前後でＰＣアプリケーション映像とコンテンツ属性情報５０３〜５０７に変更が発生した場合である。図７（ａ）、（ｂ）のＰＣアプリケーション映像の例で説明する。７０１は静止画のみから構成されるＰＣアプリケーション映像の例である。動画タイトルを選択するためのボタン７０２〜７０４、現在映像に現れていない動画タイトルボタンを画面上に表示させるためのスクロールボタン７０５及び７０６、背景７０７の静止画描画要素からなる。スクロールボタン７０５が押下されると、現在映像に現れていない動画タイトルボタンＤを表示する必要があるので、ステップＳ６０１〜Ｓ６０４が呼び出され、ＰＣアプリケーション映像が描画される。
【００６６】
ただし、当該描画後のＰＣアプリケーション映像も静止画描画要素のみで構成されていることに変わりはないので、ステップＳ６０２では「コンテンツ属性情報の変更は発生しない」と判断される。
【００６７】
また、図７（ａ）に示す状態で動画タイトルボタンＢ（７０３）が押下されると、図７（ｂ）に示すように、ＰＣアプリケーション映像は映像７０８に遷移する。すなわち、静止画描画要素のみから構成される映像から、動画の操作ボタン７０９及び７１０、動画タイトルを示すバナー７１１、背景７１３の静止画描画要素、動画再生領域７１２から構成される映像に遷移する。
【００６８】
ＰＣアプリケーション映像が映像７０１から映像７０８に遷移することにより、ＰＣアプリケーション映像フレーム内に動画コンテンツを含むことになるので、コンテンツ属性情報５０３が変更になる。更に、動画再生領域７１２で再生される動画コンテンツの条件によっては、コンテンツ属性情報５０４〜５０７も変更になる。したがって、ＰＣアプリケーション映像が映像７０１から映像７０８に遷移する場合、ステップＳ６０２では「コンテンツ属性情報の変更は発生する」と判断される。
【００６９】
図６に説明を戻して、ステップＳ６０３では、デバイスドライバに対してフレームバッファの切替指示（フロント・フレームバッファとバック・フレームバッファの切替指示）を行う。このとき、コンテンツ属性情報の変更がある旨の通知とともに、コンテンツ属性情報５０３〜５０７の内容の通知をデバイスドライバに対して行う
【００７０】
一方、ステップＳ６０４では、デバイスドライバに対してフレームバッファ切替指示を行うが、同時に、コンテンツ属性情報の変更が無い旨の通知を行う。
【００７１】
次に、アプリケーションプログラムからのフレームバッファ切替指示に応じて実行されるデバイスドライバ側の処理（ステップＳ６０５〜ステップＳ６０８）について説明する。
【００７２】
ステップＳ６０５では、アプリケーションプログラムからのフレームバッファ切替指示とともにコンテンツ属性情報の変更がある旨の通知がなされたか否かを判断する。コンテンツ属性情報の変更がない場合はステップＳ６０８に進み、フロント・フレームバッファとバック・フレームバッファを切り替える。コンテンツ属性情報の変更がある場合はステップＳ６０６に進み、アプリケーションプログラムから通知されたコンテンツ属性情報５０３〜５０７の内容をパケットバッファ４０５に設定する。
【００７３】
ステップＳ６０７では、フロント・フレームバッファとバック・フレームバッファを切り替える。これにより、例えばＰＣアプリケーション映像が映像７０１から映像７０８に遷移したことに連動して、ＰＣアプリケーション映像７０８に対応したコンテンツ属性情報が制御信号データにセットされて放送受信装置２００にＨＤＭＩ伝送される。
【００７４】
その後、アプリケーションプログラムは、所定フレームレートで動画コンテンツを描画する度にデバイスドライバに対してフレームバッファ切替指示を行う。
【００７５】
次のコンテンツ属性情報の変更が発生されるまでは、パケットバッファ４０５に設定されたコンテンツ属性情報が所定フレーム数に１回の割合で放送受信装置２００にＨＤＭＩ伝送される。
【００７６】
以上が、本発明でいう、第１の映像情報を第１の映像に付加して送信する送信手段による処理例である。
【００７７】
次に、図８のフローチャートを参照して、第１の実施形態に係る放送受信装置２００の処理を説明する。本フローチャートに示す処理は、ＰＣアプリケーション映像画面と放送映像画面の二画面表示においてユーザ操作等により主画面が選択された場合に実行される処理である。従来技術では、主画面に選択された画面に無条件に表示同期基準を合わせていた。それに対して、第１の実施形態では、情報受信処理装置１００から受信したコンテンツ属性情報を斟酌してＰＣアプリケーション映像画面又は放送映像画面のいずれに表示同期基準を合わせるかを決定する。ここで、ＰＣアプリケーション映像画面に表示同期基準を合わせるとは、ＣＰＵ２０１の指示により表示同期生成部２１５がビデオキャプチャ部２１３から供給されるＨＤＭＩクロックをソースクロックとして選択していることを意味する。また、放送映像画面に表示同期基準を合わせるとは、ＣＰＵ２０１の指示により表示同期生成部２１５がクロック生成部２１４から供給されるＳＴＣをソースクロックとして選択していることを意味する。
【００７８】
まず、ステップＳ８０１では、情報処理装置１００から受信したコンテンツ属性情報５０７の情報が「二画面表示においてＰＣアプリケーション映像に表示同期基準を合わせる」を示しているか否かを判断する。コンテンツ属性情報５０７の情報が「二画面表示においてＰＣアプリケーション映像に表示同期基準を合わせる」を示している場合はステップＳ８０４に進み、ＰＣアプリケーション映像画面に表示同期基準を合わせる。これにより、情報処理装置１００側の判断でＰＣアプリケーション映像画面に表示同期基準を合わせることが可能となる。当該判断がなされる場合とは、ＰＣアプリケーション映像に含まれる動画コンテンツがネットワーク１０９を介して配信されたコンテンツであり、ネットワーク配信のＱＯＳレベルが所定レベル以下の場合等である。
【００７９】
ステップＳ８０２では、主画面に選択された画面が放送映像画面か否かを判断し、放送映像画面が主画面の場合はステップＳ８０５に進み、放送映像画面に表示同期を合わせる。ＰＣアプリケーション画面が主画面の場合はステップＳ８０３に進み、情報処理装置１００から受信したコンテンツ属性情報５０３〜５０６の値に基づいてＰＣアプリケーション映像画面に表示同期基準を合わせる必要があるか否かを判断する。例えば、下記（１）〜（４）のいずれかの場合には、ＰＣアプリケーション映像画面に表示同期基準を合わせる必要が無いと判断してステップＳ８０５に進む。
（１）コンテンツ属性情報５０３が、「動画コンテンツを含まない」ことを示している場合。
（２）コンテンツ属性情報５０４が、「動画コンテンツのフレームレートが所定値未満である」ことを示している場合。
（３）コンテンツ属性情報５０５が、「動画コンテンツの領域のサイズが所定値未満である」ことを示している場合。
（４）コンテンツ属性情報５０６が、「ＰＣアプリケーション映像フレーム内に含まれる動画コンテンツのジャンルでない」ことを示している場合。
上記（１）〜（４）のいずれかの場合には、ステップＳ８０５で放送映像画面に表示同期基準が設定される。
【００８０】
以上が、本発明でいう、第１の映像に付加された属性情報を取得する取得手段と、取得手段により取得された属性情報に基づいて、第１の映像を再生するための同期信号及び第２の映像を再生するための同期信号のうちいずれかを選択し、当該選択された同期信号に基づいて合成映像の表示同期基準信号を生成する制御手段とによる処理例である。
【００８１】
以上説明したように、ＰＣアプリケーション映像画面と放送映像画面の二画面表示において、ＰＣアプリケーション映像画面が主画面に設定された場合でも、当該ＰＣアプリケーション映像のコンテンツ属性情報によっては、放送映像画面に表示同期基準を合わせるようにした。これにより、放送受信装置の多画面表示において複数の同期基準から適正に表示同期基準を選択することが可能となる。
【００８２】
なお、第１の実施形態では、ＰＣアプリケーション映像画面と放送映像画面の二画面表示を例に説明したが、三画面表示等の多画面表示の一画面がＰＣアプリケーション映像画面である場合に適用することも可能である。
【００８３】
（第２の実施形態）
次に、本発明の第２の実施形態について説明する。情報処理装置１００及び放送受信装置２００の基本的な構成は上記第１の実施形態で説明したとおりであり、以下では、上記第１の実施形態との相違点を中心に説明する。
【００８４】
上記第１の実施形態では、二画面表示における主画面選択のタイミングにおいて、情報処理装置１００からのコンテンツ属性情報に基づいてＰＣアプリケーション映像画面に表示同期基準を合わせるべきかを判断するようにした。
【００８５】
それに対して、第２の実施形態では、放送受信装置２００が情報処理装置１００からのコンテンツ属性情報の所定の変化を検出した場合に、主画面選択のタイミングか否かに関わらず自動的にＰＣアプリケーション映像画面又は放送映像画面に表示同期基準を合わせる。
【００８６】
以下、情報処理装置１００からのコンテンツ属性情報５０６の所定の変化に応じて自動的にＰＣアプリケーション映像画面又は放送映像画面に表示同期基準を合わせる例を説明する。
【００８７】
図９のフローチャートを参照して、第２の実施形態に係る放送受信装置２００の処理を説明する。本フローチャートに示す処理は、ＰＣアプリケーション映像画面及び放送映像画面の二画面表示において表示同期基準を自動的に合わせる処理である。
【００８８】
まず、ステップＳ９０１では、情報処理装置１００から受信したコンテンツ属性情報５０６で指定されるＰＣアプリケーション映像の番組ジャンル、又は、放送ストリームのＥＩＴのコンテント記述子で指定される放送映像の番組ジャンルに変更があったか否かを判断する。
【００８９】
ＰＣアプリケーション映像及び放送映像のうちいずれかの番組ジャンルに変更があった場合はステップＳ９０２に進み、ＰＣアプリケーション映像画面及び放送映像画面のうちいずれに表示同期基準を合わせるかを判断する。例えば「ゲーム」、「映画」、「ドラマ」、「スポーツ」、「ニュース／報道」の順に予め優先順位付けを行い、優先順位の高い番組ジャンルの画面に表示同期基準を合わせると判断する。
【００９０】
ＰＣアプリケーション映像画面に表示同期基準を合わせると判断された場合はステップＳ９０３に進み、表示同期生成部２１５のソースクロックをビデオキャプチャ部２１３から供給されるＨＤＭＩクロックとする。
【００９１】
放送映像画面に表示同期基準を合わせると判断された場合はステップＳ９０４に進み、表示同期生成部２１５のソースクロックをクロック生成部２１４から供給されるＳＴＣとする。
【００９２】
以上説明しように、放送受信装置２００が情報処理装置１００からのコンテンツ属性情報の所定の変化を検出したら、自動的にＰＣアプリケーション映像画面又は放送映像画面に表示同期基準を合わせる。これにより、放送受信装置の多画面表示において複数の同期基準から適正に表示同期基準を選択することが可能となる。
【００９３】
尚、本発明は、複数の機器から構成されるシステムの一部として適用してもよいし、
１つの機器からなる装置の一部に適用してもよい。
【００９４】
また、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００９５】
この場合、記憶媒体から読み出されたプログラムコード自体が上述した実施形態の機能を実現することになり、プログラムコード自体及びそのプログラムコードを記憶した記憶媒体は本発明を構成することになる。
【００９６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９７】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００９８】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００９９】
【図１】第１の実施形態に係る情報処理装置の構成例を示す図である。
【図２】第１の実施形態に係る放送受信装置の構成例を示す図である。
【図３】ＨＤＭＩ規格準拠の伝送フォーマット例を示す図である。
【図４】第１の実施形態に係る情報処理装置の映像処理部の構成例を示す図である。
【図５】コンテンツ属性情報を伝送するＨＭＤＩ伝送フレームにおけるパケットデータのフォーマット例を示す図である。
【図６】第１の実施形態に係る情報処理装置の処理を示すフローチャートである。
【図７】第１の実施形態におけるＰＣアプリケーション映像の一例を示す図である。
【図８】第１の実施形態に係る放送受信装置の処理を示すフローチャートである。
【図９】第２の実施形態に係る放送受信装置の処理を示すフローチャートである。
【図１０】従来例における放送映像の二画面表示の例を示す図である。
【図１１】従来例における放送受信装置における二画面表示機能のための構成を示す図である。
【図１２】従来例における二画面表示におけるデコードフレームメモリのフレーム読み書きのタイミングを示すタイミングチャートである。
【図１３】従来例におけるＰＣアプリケーション映像の一例を示す図である。
【図１４】従来例におけるＰＣアプリケーション映像の一例を示す図である。
【符号の説明】
【０１００】
１００  情報処理装置
１０１  ＣＰＵ
１０２  蓄積部
１０３  ネットワーク処理部
１０４  操作部
１０５  映像処理部
１０６  音声処理部
１０７  ＨＤＭＩ送信部
１０８  ＨＤＭＩケーブル
１０９  ネットワーク
２００  放送受信装置
２０１  ＣＰＵ
２０２  チューナ／復調器
２０３  ＴＳデコーダ
２０４  オーディオデコーダ
２０５  音声提示部
２０６  スピーカ
２０７  ビデオデコーダ
２０８  映像合成・表示処理部
２０９  ディスプレイ
２１０  ＰＣアプリケーション映像画面
２１１  放送映像画面
２１２  ＨＤＭＩ受信部
２１３  ビデオキャプチャ部
２１４  クロック生成部
２１５  表示同期生成部
２１６  メモリ部
２１７  キャプチャフレームメモリ
２１８  デコードフレームメモリ
２１９  表示フレームメモリ
２２０  セクションバッファ
【図１】
0004968946.tif 000002
【図２】
0004968946.tif 000003
【図３】
0004968946.tif 000004
【図４】
0004968946.tif 000005
【図５】
0004968946.tif 000006
【図６】
0004968946.tif 000007
【図７】
0004968946.tif 000008
【図８】
0004968946.tif 000009
【図９】
0004968946.tif 000010
【図１０】
0004968946.tif 000011
【図１１】
0004968946.tif 000012
【図１２】
0004968946.tif 000013
【図１３】
0004968946.tif 000014
【図１４】
0004968946.tif 000015